(57)【特許請求の範囲】
【請求項１】
上層生地と下層生地によって形成する中空部位を有するブラジャーワイヤーチャネル本体を含み、
前記ブラジャーワイヤーチャネル本体の前記中空部位両側にベルベット縦糸を設けて前記上層生地と前記下層生地を繋ぎ合わせ、それぞれ前記上層生地と前記下層生地を上下に交差して走るベルベット縦糸を経由して編み合わせ、前記ベルベット縦糸が前記上層生地と前記下層生地によって形成する前記中空部位両側に詰まってベルベット編みメッシュを形成し、
前記ベルベット編みメッシュの高さが前記中空部位の高さであり、前記中空部位の幅に対する前記中空部位両側のベルベットの間の幅の比率が1/2〜4/5の範囲にあることを特徴とするベルベットブラジャーワイヤーチャネル。
【請求項２】
前記中空部位の幅が8〜13mmの範囲にあり、前記中空部位両側のベルベット編みメッシュの間の幅が6〜10mmの範囲にあることを特徴とする請求項1に記載のベルベットブラジャーワイヤーチャネル。
【請求項３】
前記中空部位の幅が10〜12mmの範囲にあり、前記中空部位両側のベルベット編みメッシュの間の幅が7〜9mmの範囲にあることを特徴とする請求項2に記載のベルベットブラジャーワイヤーチャネル。
【請求項４】
前記ブラジャーワイヤーチャネル本体が編地で一体成型している請求項1〜3のいずれかに記載のベルベットブラジャーワイヤーチャネル。
【請求項５】
前記ベルベットブラジャーワイヤーチャネルをブラジャーのカップ下に縫製することを特徴とする請求項1〜3のいずれかに記載のベルベットブラジャーワイヤーチャネルを採用して製造したブラジャー。
【発明の詳細な説明】
【技術分野】
【０００１】
本発明はブラジャー技術分野に関し、特にベルベットブラジャーワイヤーチャネル及び当該ベルベットブラジャーワイヤーチャネルを採用して製造するブラジャーに関する。
【背景技術】
【０００２】
女性のブラジャーは女性の外見作りと健康に軽視できない役割があり、またブラジャーのカップ下側のワイヤーは乳房を支え、保護する効果がある。ワイヤー材料はブラジャーの他の部分と一緒に縫うことができないため、業界ではブラジャーワイヤーチャネルを設計し、ブラジャーワイヤーチャネルをブラジャーの他の部位と一つに縫い合わせた後、ワイヤーをブラジャーワイヤーチャネルに挿入している。こうすることで、ワイヤーをブラジャー上に置く製造工程及び時間を減らし、ワイヤーチャネルがワイヤーの硬い材質による肌への不快感を緩和し、ワイヤーの圧迫感をある程度解消している。
【０００３】
現在広く使用されているワイヤーチャネルは、ワイヤーを挿入後、ワイヤーの湾曲が形成する引張力が均一ではないことにより、ワイヤーチャネルの変形、しわ、ふんわり感のない窮屈さをもたらし、かつワイヤーチャネル中空部位の両端が滑らかでなく、肌触りが硬く、女性のブラジャー着用時の快適性に影響を与えている。そのため、ワイヤーチャネルの改良が必要である。
【発明の概要】
【発明が解決しようとする課題】
【０００４】
既存のブラジャーワイヤーチャネルに前述の欠点があることを鑑み、本発明はワイヤーの湾曲が形成する引張力の不均一によるワイヤーチャネルの変形、しわ及び窮屈感を改善し、ワイヤーチャネル中空部位両端を滑らかにし、肌触りを改善し、女性がより快適に着用できるという特徴を有するベルベットブラジャーワイヤーチャネルを提供する。
【課題を解決するための手段】
【０００５】
前記目的を達成するため、本発明の採用する技術的解決法は以下の通り。
上層生地と下層生地によって形成する中空部位を有するブラジャーワイヤーチャネル本体を含み、前記ブラジャーワイヤーチャネル本体の中空部位両側にベルベット縦糸を設けて上層生地と下層生地を繋ぎ合わせ、それぞれ上層生地と下層生地を上下に交差して走るベルベット縦糸を経由して編み合わせ、ベルベット縦糸が上層生地と下層生地によって形成する中空部位両側に詰まっているベルベットブラジャーワイヤーチャネルを提供する。本発明のベルベットブラジャーワイヤーチャネルは、中空部位両側にベルベット縦糸を詰めているため、ワイヤーを湾曲に縫製したワイヤーチャネルに挿入後、及び使用者が後日着用したときにワイヤーがワイヤーチャネルを引っ張ることによるワイヤーチャネル表面のざらつき、弾性のばらつきといった状況が発生せず、ワイヤーの湾曲が形成する引張力不均一によるワイヤーチャネルの変形、しわと窮屈感を改善し、ワイヤーの湾曲による圧迫を緩和し、かつワイヤーチャネルがワイヤーを固定する効果に影響を与えない。さらに、ベルベット編みメッシュによりブラジャーはワイヤーチャネル位置にてふんわり感と中空部位両端の滑らかさを保ち、着用の快適性を大きく向上する。
【０００６】
さらに、ベルベット縦糸がブラジャーワイヤーチャネルの中空部位両側にベルベット編みメッシュを形成する。前記ベルベット編みメッシュの高さは中空部位の高さである。中空部位両側のベルベット縦糸は上層生地と下層生地を密に縫い合わせておらず、ベルベット縦糸で上層生地と下層生地を繋ぎ合わせているだけに過ぎず、元の中空部位両側にベルベット編みメッシュを形成している。そのため、ベルベット編みメッシュの高さは中空部位の高さである。この高さのベルベット編みメッシュは中空部位両側に詰めて支えを形成し、縫製中に簡単に平らにならないようにし、ワイヤーを入れるのに役立つ。
【０００７】
さらに、中空部位両側のベルベット編みメッシュの間の幅と中空部位の幅との比率は1/2〜4/5の範囲にある。中空部位の幅は8〜13mmの範囲にあり、中空部位両側のベルベット編みメッシュの間の幅は6〜10mmの範囲にある。
【０００８】
好ましくは、中空部位の幅が10〜12mmの範囲にあり、中空部位両側のベルベット編みメッシュの間の幅が7〜9mmの範囲にあることである。ベルベット編み立て後の余った中空部位の幅はワイヤーを入れるのに十分で、かつベルベットの幅はワイヤーの湾曲による変形と圧迫を緩和するのに十分で、ワイヤーチャネルのワイヤー固定効果に影響しない。
【０００９】
好ましくは、前記ブラジャーワイヤーチャネル本体が編地で一体成型していることである。
【００１０】
前記ベルベットブラジャーワイヤーチャネルをベースに、本発明は同時に前記ベルベットブラジャーワイヤーチャネルを採用し、ベルベットブラジャーワイヤーチャネルをブラジャーのカップ下に縫製したブラジャーを提供する。
【発明の効果】
【００１１】
本発明の有益な効果は次の通り。本発明のベルベットブラジャーワイヤーチャネルは中空部位両側にてそれぞれ上層生地と下層生地を上下に交差して走るベルベット縦糸を経由して編み合わせ、ベルベット縦糸を上層生地と下層生地によって形成する中空部位両側に詰め、中空部位両側に中空部位と同じ高さのベルベット編みメッシュを形成する。ワイヤーを湾曲に縫製したワイヤーチャネルに挿入後、及び使用者が後日着用したときにワイヤーがワイヤーチャネルを引っ張ることによるワイヤーチャネル表面のざらつき、弾性のばらつきといった状況が発生せず、ワイヤーの湾曲が形成する引張力不均一によるワイヤーチャネルの変形、しわと窮屈感を改善し、ワイヤーの湾曲による圧迫を緩和し、かつワイヤーチャネルがワイヤーを固定する効果に影響を与えない。さらに、ベルベット縦糸が中空部位両側に詰まっているため、ブラジャーはワイヤーチャネル位置にてふんわり感及び中空部位両端の滑らかさを保ち、着用の快適性を大きく向上する。
【図面の簡単な説明】
【００１２】
【図１】図１は、本発明のベルベットブラジャーワイヤーチャネル中空部位両側のベルベット編みメッシュ構造概念図である。
【図２】図２は、通常のブラジャーワイヤーチャネルの縦断面概念図である。
【図３】図３は、本発明ベルベットブラジャーワイヤーチャネル縦断面概念図である。
【図４】図４は、本発明ベルベットブラジャーワイヤーチャネル横断面概念図である。
【発明を実施するための形態】
【００１３】
以下、図面を組み合わせて本発明の具体的構造を詳細に説明する。
【００１４】
図1に示すように、本発明は、上層生地10と下層生地20によって形成する中空部位を有するブラジャーワイヤーチャネル本体を含み、前記ブラジャーワイヤーチャネル本体の中空部位両側にベルベット縦糸を設けて上層生地と下層生地を繋ぎ合わせ、それぞれ上層生地10と下層生地20を上下に交差して走るベルベット縦糸30を経由して編み合わせ、ベルベット縦糸30が上層生地10と下層生地20によって形成する中空部位両側に詰められ、中空部位両側にベルベット編みメッシュを形成しているベルベットブラジャーワイヤーチャネルを提供する。そのうち、上層生地10は上層横糸11と上層縦糸12が織られてできたもので、下層生地20は下層横糸21と下層縦糸22が織られてできたものである。本発明のベルベットブラジャーワイヤーチャネルは、中空部位両側にベルベット縦糸を詰めているため、ワイヤーを湾曲に縫製したワイヤーチャネルに挿入後、及び使用者が後日着用したときにワイヤーがワイヤーチャネルを引っ張ることによるワイヤーチャネル表面のざらつき、弾性のばらつきといった状況が発生せず、ワイヤーの湾曲が形成する引張力不均一によるワイヤーチャネルの変形、しわと窮屈感を改善し、ワイヤーの湾曲による圧迫を緩和し、かつワイヤーチャネルがワイヤーを固定する効果に影響を与えない。さらに、ベルベット編みメッシュによりブラジャーはワイヤーチャネル位置にてふんわり感と中空部位両端の滑らかさを保ち、着用の快適性を大きく向上する。
【００１５】
図2は通常のブラジャーワイヤーチャネル断面概念図であり、通常のブラジャーワイヤーチャネルは中空部位両側にベルベット編みで編んだベルベットメッシュがなく、ワイヤー挿入後、ワイヤーの湾曲が形成する引張力が均一ではないことにより、ワイヤーチャネルの変形、しわ、ふんわり感のない窮屈さをもたらし、さらにワイヤーがワイヤーチャネルを引っ張ることによるワイヤーチャネル表面のざらつき、弾性のばらつきといった状況が発生する可能性があり、かつワイヤーチャネル中空部位両端が滑らかではなく、肌触りが硬く、女性のブラジャー着用時の快適性に影響を与えている。
【００１６】
図3と図4に示すように、ベルベット縦糸はブラジャーワイヤーチャネルの中空部位両側にベルベット編みメッシュを形成する。前記ベルベット編みメッシュの高さhは中空部位の高さである。中空部位両側のベルベット縦糸は上層生地10と下層生地20を密に縫い合わせておらず、ベルベット縦糸30で上層生地と下層生地を繋ぎ合わせているだけに過ぎず、中空部位両側にベルベット編みメッシュを形成している。そのため、ベルベット編みメッシュの高さは中空部位の高さである。この高さのベルベット編みメッシュは中空部位にて支えを形成し、縫製中に簡単に平らにならないようにし、ワイヤーを入れるのに役立つ。
【００１７】
中空部位両側のベルベット編みメッシュの間の幅dと中空部位の幅Dとの比率は1/2〜4/5の範囲にある。中空部位の幅Dは8〜13mmの範囲にあり、中空部位両側のベルベット編みメッシュの間の幅dは6〜10mmの範囲にある。
【００１８】
好ましくは、中空部位の幅Dが10〜12mmの範囲にあり、中空部位両側のベルベット編みメッシュの間の幅dが7〜9mmの範囲にあることである。ベルベット編み立て後の余った中空部位の幅はワイヤーを挿入するのに十分で、かつベルベットの幅Lはワイヤーの湾曲による変形と圧迫を緩和するのに十分で、ワイヤーチャネルのワイヤー固定効果に影響しない。
【００１９】
前記ブラジャーワイヤーチャネル本体が編地で一体成型していることである。
【００２０】
前記ベルベットブラジャーワイヤーチャネルをベースに、本発明は同時に前記ベルベットブラジャーワイヤーチャネルを採用し、ベルベットブラジャーワイヤーチャネルをブラジャーのカップ下に縫製したブラジャーを提供する。
【００２１】
本発明のベルベットブラジャーワイヤーチャネルはベルベット編みを採用し、中空部位両側にてそれぞれ上層生地と下層生地を上下に交差して走るベルベット縦糸を経由して編み合わせ、ベルベット縦糸を上層生地と下層生地によって形成する中空部位両側に詰め、中空部位両側に中空部位と同じ高さのベルベット編みメッシュを形成する。ワイヤーを湾曲に縫製したワイヤーチャネルに挿入後及び使用者が後日着用したときにワイヤーがワイヤーチャネルを引っ張ることによるワイヤーチャネル表面のざらつき、弾性のばらつきといった状況が発生せず、ワイヤーの湾曲が形成する引張力不均一によるワイヤーチャネルの変形、しわと窮屈感を改善し、ワイヤーの湾曲による圧迫を緩和し、かつワイヤーチャネルがワイヤーを固定する効果に影響を与えない。さらに、ベルベット縦糸が中空部位両側に詰まっているため、ブラジャーはワイヤーチャネル位置にてふんわり感及び中空部位両端の滑らかさを保ち、着用の快適性を大きく向上する。
【００２２】
以上は本発明の好適な実施例に過ぎず、これを以て本発明の実施範囲を限定することはできない。基本的に同じ手段で本発明の目的を実現する技術的解決手段はすべて本発明の保護範囲にある。
【図１】
0006633207.tif 000002
【図２】
0006633207.tif 000003
【図３】
0006633207.tif 000004
【図４】
0006633207.tif 000005